(57)【要約】【課題】  地域別運送料金早見具及び地域別運送料金早見キットを提供することを目的とする。【解決手段】  運送の対象となる荷物の長さ、幅及び高さの寸法の総和である所定の複数個のサイズ値が一列に記載されたサイズ列欄及び所定の複数の運送料金が該サイズ列欄に対応して一列に記載された運送料金列欄を備えたベースシートと、該サイズ列欄及び運送料金列欄に沿って摺動可能なように該ベースシートに装着されるとともに前記運送料金列欄に対応して運送地域である所定の複数の地域が一列に記載された地域列欄を備えかつ該サイズ列欄の一サイズ値を目視可能とするサイズ表示窓部及び該運送料金列欄の複数の運送地域に対応する複数の運送料金を目視可能とする複数個の運送料金表示窓部を備えたスライド部材と、を有し、前記サイズ表示窓部に表示された一サイズ値に対応する運送料金を複数の運送地域に対応して複数個の運送料金表示窓部に表示するようにした。【選択図】  図１
2006212905.tif 000002
【特許請求の範囲】
【請求項１】
運送の対象となる荷物の長さ、幅及び高さの寸法の総和である所定の複数個のサイズ値が一列に記載されたサイズ列欄及び所定の複数の運送料金が該サイズ列欄に対応して一列に記載された運送料金列欄を備えたベースシートと、該サイズ列欄及び運送料金列欄に沿って摺動可能なように該ベースシートに装着されるとともに前記運送料金列欄に対応して運送地域である所定の複数の地域が一列に記載された地域列欄を備えかつ該サイズ列欄の一サイズ値を目視可能とするサイズ表示窓部及び該運送料金列欄の複数の運送地域に対応する複数の運送料金を目視可能とする複数個の運送料金表示窓部を備えたスライド部材と、を有し、前記サイズ表示窓部に表示された一サイズ値に対応する運送料金を複数の運送地域に対応して複数個の運送料金表示窓部に表示するようにしたことを特徴とする地域別運送料金早見具。
【請求項２】
請求項１記載の地域別運送料金早見具と、運送の対象となる荷物の長さ、幅及び高さの寸法の総和である所定の複数個のサイズ値を実寸法と一致させて長尺体に目盛りとして目視可能に表示してなる荷物寸法測定具と、からなる地域別運送料金早見キット。
【発明の詳細な説明】
【技術分野】
【０００１】
本発明は、運送の対象となる荷物の運送料金を複数の運送地域に対応して表示することができる地域別運送料金早見具及びそれを用いた地域別運送料金早見キットに関する。
【背景技術】
【０００２】
近年、宅配便サービスは日常的なものになってきている。宅配便の料金体系はサイズ或いは重量を主軸とし、距離を従軸として提示されている。つまり、サイズ料金制と重量料金制が存在する。
【０００３】
重量料金制を厳密に公平に実施しようとすると、宅配便業者は集荷時にハカリを持参しなければならない。一方、サイズ料金制はメジャー（ものさし）による体積の計測ですむので、計測器具の簡便さからサイズ料金制が主流になってきている。
【０００４】
サイズ料金制は荷物の３辺、つまり、長さ（ａ）、幅（ｂ）、高さ（ｃ）の寸法をｃｍ単位で計測し、その総和（ａ＋ｂ＋ｃ）をサイズとしている。最大サイズが定められており、その間を数段階に分割して料金を定めている。例えば、日本郵政公社の一般小包郵便物〔（登録商標）〕では、３辺の総和が６０ｃｍまでを６０サイズとし、同じく総和が６０ｃｍを超え８０ｃｍまでを８０サイズ、以降１００、１２０、１４０、１６０サイズと分割し、最大を１７０サイズとして７通りに設定されている。
【０００５】
運送料金の構成要素として運送距離がある。運送距離による料金の区分は都道府県単位或いは地方単位、独自に定めた地域ごとに設定されている。例えば、前述した日本郵政公社の東京都起点の発送地域別料金は７通りになる。
【０００６】
利用者或いは宅配便集荷人は対象荷物がどのサイズに該当するかメジャーなどで計測し、さらに地域を選定し、運送料金表を見る必要があった。このためにメジャーを用意し、且つ、運送料金表を用意し、また、サイズが７通り、地域が７通り、都合４９通りの組合わせから該当料金を見つけ出す作業は面倒であった。
【発明の開示】
【発明が解決しようとする課題】
【０００７】
本発明は、上記した従来技術の問題点に鑑みてなされたもので、（イ）特に宅配便荷物の発送者と宅配便集荷担当者或いは宅配便受付窓口担当者にとって好適に用いられ、（ロ）小型なので携帯に極めて便利であり、（ハ）簡単に操作できかつ視認性に優れるので表の読み違えがほとんど起こらず、（ニ）対象荷物の該当運送料金を複数の運送地域に対応して表示することができる地域別運送料金早見具及びそれを用いた地域別運送料金早見キットを提供することを目的とする。
【０００８】
また、荷物の寸法を計測する器具と地域別の運送料金を見る表とをそれぞれ別に持ち歩く必要がなく、荷物寸法計測具を一体的に収納可能な地域別運送料金早見キットを提供することを目的とする。
【課題を解決するための手段】
【０００９】
上記課題を解決するために、本発明の地域別運送料金早見具は、運送の対象となる荷物の長さ、幅及び高さの寸法の総和である所定の複数個のサイズ値が一列に記載されたサイズ列欄及び所定の複数の運送料金が該サイズ列欄に対応して一列に記載された運送料金列欄を備えたベースシートと、該サイズ列欄及び運送料金列欄に沿って摺動可能なように該ベースシートに装着されるとともに前記運送料金列欄に対応して運送地域である所定の複数の地域が一列に記載された地域列欄を備えかつ該サイズ列欄の一サイズ値を目視可能とするサイズ表示窓部及び該運送料金列欄の複数の運送地域に対応する複数の運送料金を目視可能とする複数個の運送料金表示窓部を備えたスライド部材と、を有し、前記サイズ表示窓部に表示された一サイズ値に対応する運送料金を複数の運送地域に対応して複数個の運送料金表示窓部に表示するようにしたことを特徴とする。
【００１０】
このようにすれば、ベースシートに装着されたスライド部材をスライドさせることにより、運送地域に対応して対象荷物のサイズ毎の運送料金を宅配便荷物の発送者と宅配便集荷担当者或いは宅配便受付窓口担当者が簡単かつ即座に見ることができるので便利である。また、地域別に運送料金が即座に換算されるので、従来のように地域毎に運送料金を自分で換算する手間が省ける。
【００１１】
本発明の地域別運送料金早見具の大きさとしては、ベースシート及びスライド部材に表記された文字が目視可能な限り特別の限定はないが、なるべく小型な方が携帯に便利であることはいうまでもない。
【００１２】
前記サイズ表示窓部及び運送料金表示窓部は、切り欠き部又は透明部によって形成するのが好ましい。
【００１３】
本発明の地域別運送料金早見キットは、本発明の地域別運送料金早見具と、運送の対象となる荷物の長さ、幅及び高さの寸法の総和である所定の複数個のサイズ値を実寸法と一致させて長尺体に目盛りとして目視可能に表示してなる荷物寸法計測具と、からなる。
【００１４】
前記荷物寸法計測具としては、可撓性を有する長尺体であれば種々の材料が適用可能であり、例えば、帯状体又は紐状体が好適に用いられる。より具体的には、例えば、延伸の少ない紐やメジャーテープなどを用いることができる。また、目盛りは起点（０ｃｍ）とサイズ制に対応した箇所のみで十分であり、１ｍｍ、５ｍｍ、１０ｍｍ単位の目盛りは不要である。さらに、サイズ毎に色分け表示とすることもできる。
【００１５】
このようにして、例えば、荷物寸法計測具の起点（０ｃｍ）を荷物のある角に位置し、ある１辺に沿わせ、その辺の終点を次なる辺の起点として、順次３辺に沿わせると、３辺目の終点を超えた直近の位置に表示されたサイズ値が、その荷物のサイズとなる。個々の辺の実寸法を計測して積算する必要はない。このサイズを本発明の地域別運送料金早見具のスライド部材のサイズ表示窓部に表示させると運送地域毎の料金が表示される。すなわち、荷物の宛先地域の欄を見ると該当料金が表示されることとなる。
【発明の効果】
【００１６】
本発明の地域別運送料金早見具及び地域別運送料金早見キットは、（イ）特に宅配便荷物の発送者と宅配便集荷担当者或いは宅配便受付窓口担当者にとって好適に用いられ、（ロ）小型なので携帯に極めて便利であり、（ハ）簡単に操作できかつ視認性に優れるので表の読み違えがほとんど起こらず、（ニ）対象荷物の該当運送料金を複数の運送地域に対応して表示することができるという著大な効果を奏するものである。
【００１７】
また、本発明の地域別運送料金早見キットは、上記荷物寸法計測具を上記地域別運送料金早見具に一体的に収納することができるので、荷物の寸法を計測する器具と地域別の運送料金を見る表とをそれぞれ別に持ち歩く必要がなくなり非常に便利である。
【発明を実施するための最良の形態】
【００１８】
以下に本発明の実施の形態を説明するが、これら実施の形態は例示的に示されるもので、本発明の技術思想から逸脱しない限り種々の変形が可能なことはいうまでもない。
【００１９】
図１は本発明の地域別運送料金早見具の一つの実施の形態を示す正面概略説明図、図２は本発明の地域別運送料金早見具のベースシートを示す正面概略図、図３はサイズ毎の表示料金軸を示す表、図４は本発明の地域別運送料金早見具の関東版スライド部材を示す正面概略図、図５は本発明の地域別運送料金早見具の北海道版スライド部材を示す正面概略図、図６は地方版ごとに運送料金表示窓部の空く箇所を示す表、図７は本発明の地域別運送料金早見キットの一つの実施の形態を示す概略斜視図、図８は図１の地域別運送料金早見具の裏側を示す概略斜視図であって、（ａ）は荷物寸法計測具を収納していない状態、（ｂ）は荷物寸法計測具を収納した状態、をそれぞれ示す。図９は荷物寸法計測具を用いて対象荷物を計測している状態を示す概略摘示斜視図である。
【００２０】
図１において、符号１０は本発明の地域別運送料金早見具である。図１〜５に示す如く、地域別運送料金早見具１０は、運送の対象となる荷物の長さ、幅及び高さの総和である所定の複数個のサイズ値が一列に記載されたサイズ列欄１２及び所定の複数の運送料金が該サイズ列欄に対応して一列に記載された運送料金列欄１４を備えたベースシート１６と、該サイズ列欄１２及び運送料金列欄１４に沿って摺動可能なように該ベースシート１６に装着されるとともに前記運送料金列欄１４に対応して運送地域である所定の複数の地域が一列に記載された地域列欄１８ａを備えかつ該サイズ列欄１２の一サイズ値を目視可能とするサイズ表示窓部２０ａ及び該運送料金列欄１４の複数の運送地域に対応する複数の運送料金を目視可能とする複数個の運送料金表示窓部２２ａを備えたスライド部材２４ａと、を有している。
【００２１】
ベースシート１６としては、図２に示すように、運送の対象となる荷物の長さ、幅及び高さの総和である所定の複数個のサイズ値が一列に記載されたサイズ列欄１２と所定の複数の運送料金が該サイズ列欄に対応して一列に記載された運送料金列欄１４とを備えていればよいものであり、その形状や材質などに特別の限定はない。
【００２２】
また、サイズ列欄１２のサイズ値の順序は必ずしも規則正しく並べられる必要はない。図示の例では、サイズ列欄１２のサイズ値は「…１４０、１７０、１６０」という順序で記載されている。したがって、サイズ列欄１２が「１６０」（ｃｍ）のときは運送料金列欄１４は「都内・県内￥１，６００」「東北・関東等￥１，７００」「近畿￥１，８００」「中国・四国￥１，９００」「北海道￥２，０００」「九州￥２，１００」「沖縄￥２，２００」となり、一方、サイズ列欄１２が「１７０」（ｃｍ）のときは運送料金列欄１４は「都内・県内￥１，７００」「東北・関東等￥１，９００」「近畿￥２，０００」「中国・四国￥２，１００」「北海道￥２，２００」「九州￥２，３００」「沖縄￥２，４００」となる。
【００２３】
このようにして、例えば、サイズ列欄１２の「１４０」（ｃｍ）の次に「１７０」（ｃｍ）を記載してその次に「１６０」（ｃｍ）と記載することにより、サイズ列欄１２に対応する運送料金列欄１４の記載をよりコンパクトにすることができるため、ベースシート１６の短尺化が実現される。
【００２４】
ベースシート１６に記載されるサイズ毎の表示料金軸の一例を図３に示す。例えば図３のような対応関係でサイズと料金とを対応させてベースシート１６に記載することが可能である。
【００２５】
スライド部材２４ａとしては、図４に示すように、前記運送料金列欄１４に対応して運送地域である所定の複数の地域が一列に記載された地域列欄１８ａを備えかつ該サイズ列欄１２の一サイズ値を目視可能とするサイズ表示窓部２０ａ及び該運送料金列欄１４の複数の運送地域に対応する複数の運送料金を目視可能とする複数個の運送料金表示窓部２２ａが備えられ、かつベースシート１６のサイズ列欄１２及び運送料金列欄１４に沿って摺動可能なようにベースシート１６に装着可能とされていればよいものであるから、その形状や材質などに特別の限定はない。
【００２６】
図示の例では、サイズ表示窓部２０ａ及び運送料金表示窓部２２ａは、透明部によって形成したが、このほか切り欠き部などによって形成することもできる。
【００２７】
また、図４では、関東版のスライド部材２４ａを用いたが、地方版ごとにスライド部材を作成しておけば、その地方に応じて自由にスライド部材を付け替えることが可能となる。図５は、北海道版のスライド部材２４ｂを示し、スライド部材２４ｂは、運送地域である所定の複数の地域が一列に記載された地域列欄１８ｂを有している。スライド部材２４ｂにはサイズ表示窓部２０ｂ及び複数個の運送料金表示窓部２２ｂが記載されており、ベースシート１６のサイズ列欄１２及び運送料金列欄１４に沿って摺動可能なようにベースシート１６に装着可能とされている。
【００２８】
このように地方版ごとにスライド部材を作成した場合には、運送地域である所定の複数の地域が一列に記載された地域列欄の記載が異なることになるが、それぞれの地方版毎に運送料金表示窓部の空く箇所を図６に示す。例えば、図示した関東版の例で説明すれば、関東版の１（すなわち、運送料金表示窓部の上から２番目の位置）は、地域列欄の「東北・関東・信越・北陸・東海」地域と対応し、２は地域列欄の「近畿」、３は地域列欄の「中国・四国」、４は地域列欄の「北海道」、５は地域列欄の「九州」、６は地域列欄の「沖縄」と対応し、７の位置は空欄となる。このようにして、地方版ごとにスライド部材を作成することができる。
【００２９】
このように構成すれば、図１に示す如く、対象荷物のサイズがサイズ表示窓部２０ａから目視可能となるようにスライド部材２４ａをサイズ列欄１２及び運送料金列欄１４に沿って摺動することにより、運送地域とそれに対応する運送料金が運送料金表示窓部２２ａに表示される。図示の例のように、サイズが６０（ｃｍ）の場合で、運送地域が都内・県内の場合には運送料金は６００円、運送地域が東北等の場合には運送料金は７００円、以下同様となる。
【００３０】
そして、対象荷物が８０（ｃｍ）や１００（ｃｍ）といった他のサイズの場合には、そのサイズに応じて、スライド部材２４ａをサイズ列欄１２及び運送料金列欄１４に沿って摺動すればよい。
【００３１】
なお、実施の形態では、特にゆうパック（登録商標）サービスにおけるサイズ料金制の一定の数値（６０ｃｍサイズ、８０ｃｍサイズ、１００ｃｍサイズ、１２０ｃｍサイズ、１４０ｃｍサイズ、１６０ｃｍサイズ、１７０ｃｍサイズ）をサイズ値として記載した例を示したが、これらのサイズや料金以外にも、荷物を配達するサービスにならば適用できるものであるから、例えば他の宅配便サービスを利用するにあたって、ベースシート１６に一定の数値（例えば、重量値）を記載することにより本発明に適用ができることは勿論である。
【００３２】
次に、本発明の地域別運送料金早見キットについて図７〜図９に基づいて説明する。図７に示される如く、本発明の地域別運送料金早見キット２６は、地域別運送料金早見具１０と、運送の対象となる荷物の長さ、幅及び高さの寸法の総和である所定の複数個のサイズ値を実寸法と一致させて長尺体２８に目盛りとして目視可能に表示してなる荷物寸法計測具３０と、から構成される。図示の例では、長尺体２８として紐状体を使用したが、長尺体である限り、その他に帯状体なども好適に用いることができる。
【００３３】
荷物寸法計測具３０には、運送の対象となる荷物の長さ、幅及び高さの寸法の総和である所定の複数個のサイズ値（起点０、６０ｃｍ、８０ｃｍ、１００ｃｍ、１２０ｃｍ、１４０ｃｍ、１６０ｃｍ、１７０ｃｍ）毎にタグ３２が取り付けられており、それらのサイズ値が目盛りとして目視可能とされている。この目盛りは、起点（０ｃｍ）とサイズ制に対応した箇所のみで十分であり、１ｍｍ、５ｍｍ、１０ｍｍ単位の目盛りは不要である。なお、これらのサイズ値は実寸法と一致させてある。
【００３４】
図示の例では、タグを用いたが、運送の対象となる荷物の長さ、幅及び高さの寸法の総和である所定の複数個のサイズ値が実寸法と一致させて長尺体２８に目盛りとして目視可能とされればよいものであるから、タグの代わりに例えば、紐、マーク、ピン、或いはチューブを被せて熱収縮させたものにサイズ値を表記することも可能である。また、サイズ毎に色分けをした色分け表示とすることもできる。
【００３５】
また、図８に示される如く、荷物寸法計測具３０は、地域別運送料金早見具１０の裏側、すなわちベースシート１６とスライド部材２４ａとの間に収納することが可能である。荷物寸法計測具３０を収納していない状態では、図８（ａ）であるが、荷物寸法計測具３０を収納すると、図８（ｂ）に示す状態となる。このようにして、必要に応じて収納及び取り出しができるので極めて便利である。
【００３６】
荷物寸法計測具３０を用いて、対象荷物の長さ、幅及び高さの寸法の総和を計測するには、図９に示す如く、対象荷物３４の長さ（ａ）、幅（ｂ）及び高さ（ｃ）をそれぞれ計測し、その総和である３辺目の終点を超えた直近の位置に表示されたタグ３２のサイズ値が、その荷物のサイズとなる。
【００３７】
そして、このようにして判断したサイズ値に基づいて、地域別運送料金早見具１０のスライド部材２４ａをサイズ列欄１２及び運送料金列欄１４に沿って摺動させて、該サイズをサイズ表示窓部２０ａに目視可能とすると、図１に示したような状態となるので、対象荷物の運送地域に応じた料金を宅配便荷物の発送者と宅配便集荷担当者或いは宅配便受付窓口担当者が簡単かつ即座に見ることができる。
【００３８】
なお、上述の説明では、荷物のサイズを基準にした料金体系を決めた例について説明したが、荷物の重量を基準にした料金体系についても同様に適用可能である。
【００３９】
すなわち、運送の対象となる荷物の重量である所定の複数個の重量値が一列に記載された重量列欄及び所定の複数の運送料金が該重量列欄に対応して一列に記載された運送料金列欄を備えたベースシートと、該重量列欄及び運送料金列欄に沿って摺動可能なように該ベースシートに装着されるとともに前記運送料金列欄に対応して運送地域である所定の複数の地域が一列に記載された地域列欄を備えかつ該重量列欄の一重量値を目視可能とする重量表示窓部及び該運送料金列欄の複数の運送地域に対応する複数の運送料金を目視可能とする複数個の運送料金表示窓部を備えたスライド部材と、を有し、前記重量表示窓部に表示された一重量値に対応する運送料金を複数の運送地域に対応して複数個の運送料金表示窓部に表示するように構成した地域別運送料金早見具とすることもできる。
【００４０】
また、この場合には、上述した荷物寸法計測具の代わりに荷物重量計測具を用いて地域別運送料金早見キットを構成すればよい。
【産業上の利用可能性】
【００４１】
上記説明では、本発明の地域別運送料金早見具及びそれを用いた地域別運送料金早見キットを日本郵政公社のゆうパック（登録商標）サービスに適用した例を示したが、荷物を配達するサービスにならば適用できるものであるから、上記した以外にも全ての宅配便サービスなどにも適用が可能である。
【図面の簡単な説明】
【００４２】
【図１】本発明の地域別運送料金早見具の一つの実施の形態を示す正面概略説明図である。
【図２】本発明の地域別運送料金早見具のベースシートを示す正面概略図である。
【図３】サイズ毎の表示料金軸を示す表である。
【図４】本発明の地域別運送料金早見具の関東版スライド部材を示す正面概略図である。
【図５】本発明の地域別運送料金早見具の北海道版スライド部材を示す正面概略図である。
【図６】地方版ごとに運送料金表示窓部の空く箇所を示す表である。
【図７】本発明の地域別運送料金早見キットの一つの実施の形態を示す概略斜視図である。
【図８】図１の地域別運送料金早見具の裏側を示す概略斜視図であって、（ａ）は荷物寸法計測具を収納していない状態、（ｂ）は荷物寸法計測具を収納した状態、をそれぞれ示す。
【図９】荷物寸法計測具を用いて対象荷物を計測している状態を示す概略摘示斜視図である。
【符号の説明】
【００４３】
１０：地域別運送料金早見具、１２：サイズ列欄、１４：運送料金列欄、１６：ベースシート、１８ａ，１８ｂ：地域列欄、２０ａ，２０ｂ：サイズ表示窓部、２２ａ，２２ｂ：運送料金表示窓部、２４ａ，２４ｂ：スライド部材、２６：地域別運送料金早見キット、２８：長尺体、３０：荷物寸法計測具、３２：タグ、３４：対象荷物。
【図１】
2006212905.tif 000003
【図２】
2006212905.tif 000004
【図３】
2006212905.tif 000005
【図４】
2006212905.tif 000006
【図５】
2006212905.tif 000007
【図６】
2006212905.tif 000008
【図７】
2006212905.tif 000009
【図８】
2006212905.tif 000010
【図９】
2006212905.tif 000011